(57)【特許請求の範囲】
【請求項１】
互いに異なる作画データに基づいて制御されるプリンタ、カッティング装置、打刻装置、および彫刻機のうち、前記プリンタ、前記カッティング装置および前記打刻装置のうちの１つ以上の機器と、前記彫刻機とを用いてラインストーンが配置された製作物を製作するためのコンピュータプログラムであって、
前記製作物は、前記プリンタ、前記カッティング装置および前記打刻装置のうちの１つ以上の機器を用いてシートを製作し、前記シートを装飾対象物に貼り付け、かつ、前記彫刻機を用いて型に前記ラインストーンを嵌め込む孔を形成し、前記型の前記孔に前記ラインストーンを嵌め込み、転写シートを用いて、前記ラインストーンを前記型から前記装飾対象物に転写することで製作され、コンピュータを、
製作に用いられる機器の情報を記憶した記憶手段、
ユーザからの入力に基づいて作画データを作成する作成手段、
ユーザからどの機器が選択されたかについての情報を受ける入力手段、
前記入力手段が受けた情報および前記記憶手段が記憶している情報に基づいて、前記作成手段により作成された作画データを、選択された機器に応じた作画データに変換する変換手段、および、
選択された機器に変換後の作画データを出力する出力手段、
として機能させるためのコンピュータプログラム。
【請求項２】
前記コンピュータを更に、
前記作成手段により作成された作画データのプレビューと、前記プレビューの各箇所にどの機器の処理を行うかをユーザに選択させる選択画面とを表示装置に表示させる選択画面表示手段として機能させ、
前記入力手段は、前記選択画面に基づくユーザの選択についての情報を受け、
前記変換手段は、前記ユーザの選択に応じた機器毎の作画データの変換を行う、請求項１に記載のコンピュータプログラム。
【請求項３】
前記コンピュータを更に、
前記コンピュータに通信可能に接続されている機器を識別する識別手段、
前記入力手段および前記識別手段の情報に基づいて、選択された機器が前記コンピュータに通信可能に接続されているか否かを判定する接続判定手段、および、
選択された機器が前記コンピュータに通信可能に接続されていないと前記接続判定手段が判定すると、当該機器に関する前記変換手段による作画データの変換を中止させる変換中止手段、
として機能させるための請求項１または２に記載のコンピュータプログラム。
【請求項４】
前記コンピュータを更に、
予め定められた作画データと機器の優先順位との関係を記憶している優先順位記憶手段、
前記作成手段が作成した作画データと前記入力手段が受けた選択機器の情報と前記優先順位記憶手段が記憶している情報とに基づいて、機器の優先順位を決定する優先順位決定手段、および、
前記優先順位決定手段によって決定された機器の優先順位に従って、前記変換手段に作画データの変換を実行させる変換実行手段、
として機能させるための請求項１〜３のいずれか一つに記載のコンピュータプログラム。
【発明の詳細な説明】
【技術分野】
【０００１】
本発明は、互いに異なる作画データに基づいて制御されるプリンタ、カッティング装置、打刻装置、および彫刻機のうちの２つ以上の機器を用いて製作物を製作するためのコンピュータプログラムに関する。
【背景技術】
【０００２】
従来から、プリンタ、カッティング装置、打刻装置、および彫刻機のうちの２つ以上の機器を用いて製作物を製作することが知られている。例えば、プリンタおよびカッティング装置を用いて、文字等が印刷された任意の形状のカッティングシートを製作することが知られている（例えば特許文献１参照）。
【０００３】
また、例えば衣服やバッグ等の装飾物等として、文字等が印刷され且つ所定の形状にカットされたプリント材の周囲に、その輪郭に沿って複数のラインストーンが貼り付けられてなる装飾物等が知られている。このような装飾物は、プリンタ、カッティング装置および彫刻機を用いて製作される。すなわち、プリント材に対する文字等の印刷は、プリンタによって行われる。上記プリント材のカットは、カッティング装置によって行われる。ラインストーンの型の製作は、彫刻機によって行われる。
【０００４】
プリンタ、カッティング装置、彫刻機は、外部から作画データが入力され、その作画データに応じた印刷、カット、彫刻をそれぞれ行うように構成されている。通常、これらの機器に対してはそれぞれ専用のアプリケーションソフトが準備され、それら専用のアプリケーションソフトを用いてそれぞれの作画データが作成され、それぞれの機器が制御される。
【先行技術文献】
【特許文献】
【０００５】
【特許文献１】特許第３０３９３２０号公報
【発明の概要】
【発明が解決しようとする課題】
【０００６】
従来は、複数の機器を用いて１つの製作物を製作する場合、その製作物の意匠は単一であるにも拘わらず、機器毎に作画データを作成しなければならなかった。すなわち、利用する機器の数だけ、それぞれの専用アプリケーションソフトを用いて作画データを準備する必要があった。仮に、例えばカッティング装置用のアプリケーションソフトを用いてカッティング装置および彫刻機の両方の作画データを作成したとしても、その作画データが利用できるのはカッティング装置だけであるので、結果として、彫刻機で切削すべき箇所までをも切断してしまうという事態を招くこととなる。
【０００７】
本発明はかかる点に鑑みてなされたものであり、その目的とするところは、複数の機器を用いた製作物の製作が容易になる技術を提供することにある。
【課題を解決するための手段】
【０００８】
本発明に係るコンピュータプログラムは、互いに異なる作画データに基づいて制御され
るプリンタ、カッティング装置、打刻装置、および彫刻機のうち、前記プリンタ、前記カッティング装置および前記打刻装置のうちの１つ以上の機器と、前記彫刻機とを用いてラインストーンが配置された製作物を製作するためのコンピュータプログラムであって、前記製作物は、前記プリンタ、前記カッティング装置および前記打刻装置のうちの１つ以上の機器を用いてシートを製作し、前記シートを装飾対象物に貼り付け、かつ、前記彫刻機を用いて型に前記ラインストーンを嵌め込む孔を形成し、前記型の前記孔に前記ラインストーンを嵌め込み、転写シートを用いて、前記ラインストーンを前記型から前記装飾対象物に転写することで製作され、コンピュータを、製作に用いられる機器の情報を記憶した記憶手段、ユーザからの入力に基づいて作画データを作成する作成手段、ユーザからどの機器が選択されたかについての情報を受ける入力手段、前記入力手段が受けた情報および前記記憶手段が記憶している情報に基づいて、前記作成手段により作成された作画データを、選択された機器に応じた作画データに変換する変換手段、および、選択された機器に変換後の作画データを出力する出力手段、として機能させるためのコンピュータプログラムである。
【０００９】
上記コンピュータプログラムによれば、作成手段によって、ユーザからの入力に基づいて、機器の種類に依存しない作画データが作成される。そして、ユーザが入力手段を介して機器を選択すると、変換手段によって、上記作画データは選択された機器に応じた作画データに変換される。選択された機器には変換後の作画データが入力され、各機器は変換後の作画データに基づいて制御されることになる。したがって、ユーザが専用のアプリケーションソフトを用いて機器毎に作画データを作成する必要がなくなり、複数の機器を用いた製作物の製作が容易になる。
【００１０】
ところで、従来のアプリケーションソフトは機器に応じた専用のものであったので、ある機器の専用アプリケーションソフトで作成した作画データに基づいて他の機器を作動させることはできなかった。そのため、ユーザは、作画データの各箇所と各機器の処理との対応関係を特に考慮する必要はなかった。しかし、前記コンピュータプログラムは複数の機器に対応しているため、作画データの各箇所にどの機器の処理を行うかを容易に選択できれば、便利である。
【００１１】
そこで、前記コンピュータプログラムは、前記コンピュータを更に、前記作成手段により作成された作画データのプレビューと、前記プレビューの各箇所にどの機器の処理を行うかをユーザに選択させる選択画面とを表示装置に表示させる選択画面表示手段として機能させ、前記入力手段は、前記選択画面に基づくユーザの選択についての情報を受け、前記変換手段は、前記ユーザの選択に応じた機器毎の作画データの変換を行うことが好ましい。
【００１２】
また、前記コンピュータプログラムは、前記コンピュータを更に、前記コンピュータに通信可能に接続されている機器を識別する識別手段、前記入力手段および前記識別手段の情報に基づいて、選択された機器が前記コンピュータに通信可能に接続されているか否かを判定する接続判定手段、および、選択された機器が前記コンピュータに通信可能に接続されていないと前記接続判定手段が判定すると、当該機器に関する前記変換手段による作画データの変換を中止させる変換中止手段、として機能させるためのものであってもよい。
【００１３】
このことにより、選択された機器がコンピュータに通信可能に接続されている場合には、当該機器に関する作画データの変換が行われる一方、選択された機器がコンピュータに通信可能に接続されていない場合には、当該機器に関する作画データの変換は行われない。そのため、無駄なデータ変換を避けることができる。なお、ここでいう「接続」には、有線による接続に限らず、無線による接続も含まれる。
【００１４】
前述の通り、従来のアプリケーションソフトは機器に応じた専用のものであったので、複数の機器を対象として、処理の優先順位を決める必要はなかった。ところが、前記コンピュータプログラムは複数の機器に対応しているため、機器の優先順位を決め、その優先順位にしたがって処理を進めることが好ましい。
【００１５】
そこで、前記コンピュータプログラムは、前記コンピュータを更に、予め定められた作画データと機器の優先順位との関係を記憶している優先順位記憶手段、前記作成手段が作成した作画データと前記入力手段が受けた選択機器の情報と前記優先順位記憶手段が記憶している情報とに基づいて、機器の優先順位を決定する優先順位決定手段、および、前記優先順位決定手段によって決定された機器の優先順位にしたがって、前記変換手段に作画データの変換を実行させる変換実行手段、として機能させるためのものであってもよい。
【００１６】
このことにより、作画データの変換を効率的に行うことができる。
【発明の効果】
【００１７】
以上のように、本発明によれば、複数の機器を用いた製作物の製作を容易に行うことができる。
【図面の簡単な説明】
【００１８】
【図１】装飾物の平面図である。
【図２】装飾物を製作するシステムのブロック図である
【図３】コンピュータのブロック図である。
【図４】（ａ）〜（ｃ）は作画データの概念図である。
【図５】作成部が作成する作画データの概念図である。
【図６】メイン画面を表す図である。
【図７】デザイン作成画面を表す図である。
【図８】メイン画面の一部を表す図である。
【図９】出力設定用の画面を表す図である。
【発明を実施するための形態】
【００１９】
以下、図面を参照しながら、本発明の一実施形態について説明する。以下の説明では、本実施形態に係るコンピュータプログラムを用いて、図１に示すような装飾物１を製作するものとする。装飾物１は、所定形状にカットされたシート２に所定の画像３が印刷され、シート２の輪郭に沿ってラインストーン４が配置されたものである。ここでは、シート２は三角形状にカットされ、画像３として「Ａ」という文字が印刷されているものとする。
【００２０】
装飾物１は、プリンタ１１（図２参照）、カッティング装置１２、および彫刻機１３によって製作される。すなわち、プリンタ１１を用いてシート２に画像３を印刷し、カッティング装置１２を用いてシート２を所定の形状にカットする。画像３が印刷され且つ所定形状にカットされたシート２は、装飾対象物５に貼り付けられる。ラインストーン４の配置には、彫刻機１３が用いられる。詳しくは、まず、彫刻機１３を用いて型（図示せず）に対し、シート２の輪郭に沿った位置に複数の孔を形成する。次に、それらの孔にラインストーン４を嵌め込んだ後、転写シート（図示せず）を用いて、それらラインストーン４を型から装飾対象物５に転写する。これにより、ラインストーン４の互いの位置関係を保ったまま、ラインストーン４をシート２の周囲に配置することができる。
【００２１】
図２に示すように、プリンタ１１、カッティング装置１２、および彫刻機１３は、コンピュータ３０に通信可能に接続される。なお、プリンタ１１、カッティング装置１２、および彫刻機１３は、コンピュータ３０に同時に接続されていてもよいが、使用される時にのみコンピュータ３０に接続されてもよい。すなわち、プリンタ１１、カッティング装置１２、彫刻機１３は、コンピュータ３０に常時接続されていてもよく、適宜に接続されてもよい。また、それらの接続は、有線による接続に限らず、無線による接続であってもよい。
【００２２】
コンピュータ３０の種類は特に限定されず、例えば、汎用のパーソナルコンピュータであってもよい。コンピュータ３０は、本実施形態に係るコンピュータプログラムに従って、プリンタ１１、カッティング装置１２、および彫刻機１３に所定の作画データを出力する。コンピュータ３０には、コンピュータ読み取り可能な記録媒体２５からコンピュータプログラムを読み取る読み取り装置３１が設けられている。なお、この種の記録媒体２５として、例えば、ＣＤ−ＲＯＭ、ＤＶＤ−ＲＯＭ、ＵＳＢメモリ、メモリカード等を利用することができる。ただし、上記コンピュータプログラムは、予めコンピュータ３０の内部のメモリに記憶されていてもよい。また、上記コンピュータプログラムは、有線または無線の通信手段を介してコンピュータ３０に読み取られてもよい。
【００２３】
コンピュータ３０には、液晶ディスプレイ等からなる表示装置２１と、キーボードやマウス等からなる入力装置２２とが接続されている。
【００２４】
コンピュータ３０は、上記コンピュータプログラムによって、以下の各機能を果たすように動作する。図３は、コンピュータ３０の機能ブロック図である。図３に示すように、コンピュータ３０は、プリンタ１１とカッティング装置１２と彫刻機１３とに関する情報を記憶した記憶部３２と、ユーザからの入力に基づいて作画データを作成する作成部３３と、ユーザからどの機器が選択されたかについての情報を受ける入力部３４と、作成部３３により作成された作画データを選択された機器に応じた作画データに変換する変換部３５と、ドライバ３７を介して、選択された機器に変換後の作画データを出力する出力部３６として機能する。
【００２５】
また、コンピュータ３０は、作成部３３により作成された作画データのプレビュー（図９の領域６１参照）と、前記プレビューの各箇所にどの機器の処理を行うかをユーザに選択させる選択画面（図９参照）とを表示装置２１に表示させる選択画面表示部７３として機能する。
【００２６】
また、コンピュータ３０は、当該コンピュータ３０に通信可能に接続されている機器を識別する識別部３８と、入力部３４および識別部３８の情報に基づいて、選択された機器がコンピュータ３０に接続されているか否かを判定する接続判定部７１と、選択された機器がコンピュータ３０に接続されていないと判定されると、変換部３５における当該機器についての作画データの変換を中止させる変換中止部７２として機能する。
【００２７】
また、コンピュータ３０は、予め定められた作画データと機器の優先順位との関係を記憶している優先順位記憶部７４と、作成部３３が作成した作画データ、選択された機器の情報、および優先順位記憶部７４に記憶されている情報に基づいて機器の優先順位を決定する優先順位決定部７５と、優先順位決定部７５によって決定された優先順位に従って、変換部３５に作画データの変換を実行させる変換実行部７６として機能する。
【００２８】
図４（ａ）、（ｂ）、（ｃ）は、プリンタ１１、カッティング装置１２、彫刻機１３のそれぞれの作画データのフォーマットを模式的に表した図である。図４（ａ）〜（ｃ）に示すように、プリンタ１１、カッティング装置１２、および彫刻機１３の作画データのフォーマットは互いに異なっている。図４（ａ）に示すように、プリンタ１１の作画データでは原点Ｏは左上に位置するが、図４（ｂ）および（ｃ）に示すように、カッティング装置１２および彫刻機１３の作画データでは、原点Ｏは左下に位置する。プリンタ１１の作画データの領域Ｒ１と、カッティング装置１２の作画データの領域Ｒ２と、彫刻機１３の作画データの領域Ｒ３とは、互いに寸法が異なっている。また、プリンタ１１の作画データの解像度はｘ方向にＸ１、ｙ方向にＹ１であり、カッティング装置１２の作画データの解像度はｘ方向にＸ２、ｙ方向にＹ２であり、彫刻機１３の作画データの解像度はｘ方向にＸ３、ｙ方向にＹ３であり、それらは互いに異なっている。ただし、これらはプリンタ１１、カッティング装置１２、および彫刻機１３の作画データの一例に過ぎず、それらの作画データは特定のものに限定される訳ではない。
【００２９】
記憶部３２（図３参照）は、プリンタ１１、カッティング装置１２、および彫刻機１３の情報として、図４（ａ）〜（ｃ）の作画データに関する情報を記憶している。作成部３３は、表示装置２１（図２参照）に所定の画面を表示し、ユーザからの入力に基づいて作画データを作成する。図５は、ユーザが入力装置２２（図２参照）を用いて作画データを作成する際に、作成部３３が表示装置２１に表示する画面の一例を表している。図５に示す作画データでは、原点Ｏは中央部分に位置している。このように、この画面上で作成される作画データのフォーマットは、図４（ａ）〜（ｃ）の作画データのフォーマットと異なっている。変換部３５は、この画面上で作成された作画データを図４（ａ）〜（ｃ）の各作画データに変換する機能を有している。
【００３０】
次に、表示装置２１に表示される画面を参照しながら、コンピュータ３０の動作を説明する。
【００３１】
図６は、本実施形態に係るコンピュータプログラムの実行中に、表示装置２１に表示されるメイン画面４０を表している。メイン画面４０には、ジョブの一覧を表示する領域４１と、出力イメージのプレビューを表示する領域４２と、機器に関する情報を表示する領域４３と、ジョブの詳細を表示する領域４４とが含まれている。また、メイン画面４０の左下部分には、ファイルの保存等のジョブを操作するための複数のアイコン４５と、後述するデザイン作成画面に移行するためのボタン４６と、後述する出力設定用の画面に移行するためのボタン４７と、出力ボタン４８とが表示されている。
【００３２】
ボタン４６をクリックすると、表示装置２１の表示がメイン画面４０からデザイン作成画面５０（図７参照）に切り替えられる。図７に示すように、デザイン作成画面５０には、描画ツールのアイコン等が並べられた領域５１と、文字や図形等を作成するための作画領域５２と、オブジェクト管理用の領域５３等とが含まれている。なお、作画領域５２に表示される作画データは、ユーザが扱いやすい形式のデータとなっており、各機器の作画データ（図４（ａ）〜（ｃ）参照）とは異なっている。ユーザがデザイン作成画面５０上で図形等を作成すると、作成部３３がその図形等に応じた作画データを作成することになる。
【００３３】
図８は、メイン画面４０の領域４３（図６参照）に表示される画面の一例を表している。本画面には、選択された出力機器グループに属する機器のアイコンＩ１１，Ｉ１２，Ｉ１３が表示されている。アイコンＩ１１，Ｉ１２，Ｉ１３は、それぞれプリンタ１１、カッティング装置１２、彫刻機１３を表すアイコンである。図８の“Ｐ１”、“Ｐ２”、“Ｐ３”は、プリンタ１１、カッティング装置１２、彫刻機１３の型名を表している。ここで、出力機器グループとは、単一の製作物を製作する際に用いられる複数の機器の組み合わせをいう。前述したように、本実施形態では装飾物１を製作するために、プリンタ１１、カッティング装置１２、および彫刻機１３が用いられる。そのため、プリンタ１１、カッティング装置、および彫刻機１３が出力機器グループを形成する。なお、出力機器グループに属する機器は、自由に追加または削除することができる。領域４３には、選択された出力機器グループに属する機器の型名の一覧表示４３ｂが表示されている。
【００３４】
ユーザは、表示されている機器のアイコンをクリックすることによって、機器を容易に選択することができる。この際、入力部３４は、どの機器が選択されたかについての情報を受けることになる。ここでは、プリンタ１１が選択されたものとする。図８に示すように、選択された機器、すなわちプリンタ１１のアイコンＩ１１は強調表示される。例えば、プリンタ１１を示すアイコンＩ１１は、カッティング装置１２を示すアイコンＩ１２および彫刻機１３を示すアイコンＩ１３に比べて、目立つようにコントラストを上げて表示される。また、図８に示すように、機器が選択されると、その機器に応じた出力可能領域についての情報が表示される。ここでは、プリンタ１１の印刷可能領域４３ａが表示されている。なお、機器に応じた出力可能領域の情報は、予め記憶部３２に記憶されている。機器を選択すると、それに応じて領域４２（図６参照）のプレビューが変化する。
【００３５】
各機器の出力設定は自由に変更することができる。メイン画面４０のボタン４７をクリックすると、表示装置２１の表示がメイン画面４０から出力設定用の画面６０（図９参照）に切り替えられる。図９に示すように、出力設定用の画面６０には、印刷領域、原点位置、解像度等の大項目と、それら大項目についての詳細な設定項目とが含まれる。また、ユーザはこの画面６０を参照しながら、機器を選択することができる。画面６０には、「カット」、「プリンタ」、「加工」の各チェックボックス６２と、選択ボタン６３とが含まれている。なお、表示装置２１に画面６０を表示させる際、本実施形態に係るコンピュータプログラムは選択画面表示部７３（図３参照）として機能する。画面６０は本発明に係る選択画面の一例である。ユーザはこの画面６０を見ながら、機器を選択し、また、設定項目の数値を適宜に変更することができる。なお、大項目および設定項目は、選択した機器によって相違する。画面６０には、選択した機器に応じた大項目および設定項目が表示される。画面６０の左側には大項目および設定項目を表示する領域６２が設けられ、画面６０の右側には、設定内容を反映したプレビューが表示される領域６１が設けられている。
【００３６】
領域６１に表示されるプレビューの所定の箇所、例えば、所定の線または文字等を選択し、「カット」、「プリント」、または「加工」のチェックボックス６２に印を付け、選択ボタン６３をクリックすると、上記所定箇所は、印を付けたチェックボックス６２の処理対象として選択される。例えば、領域６１の文字「Ａ」を選択し、「プリント」のチェックボックス６２に印を付け、選択ボタン６３をクリックすると、文字「Ａ」は印刷対象として選択される。一方、領域６１の文字「Ａ」を選択し、「カット」のチェックボックス６２に印を付け、選択ボタン６３をクリックすると、文字「Ａ」は切断対象として選択される。
【００３７】
出力設定が完了すると、ユーザは表示装置２１の表示を出力設定用の画面６０からメイン画面４０（図６参照）に切り替える。ユーザがメイン画面４０の出力ボタン４８をクリックすると、作画データの変換が行われ、選択した機器に対してその機器に応じた作画データが送信される。詳しくは、作成部３３が作成した作画データが、変換部３５によって、選択した機器に応じた作画データに変換され、出力部３６が当該作画データを当該機器に向かって出力する。
【００３８】
ところで、選択した機器がコンピュータ３０と通信可能な状態にない場合、例えば、選択した機器の主電源がＯＦＦになっている場合などでは、作画データを変換したとしても、変換後の作画データが当該機器に入力されることはない。そのため、このような場合にも作画データの変換を行うことは、無駄な処理となる。そこで本実施形態では、以下のような処理が行われる。
【００３９】
すなわち、ユーザが出力ボタン４８をクリックすると、接続判定部７１（図３参照）によって、選択された機器がコンピュータ３０と通信可能に接続（以下、単に接続という）されているか否かが判定される。その結果、選択された機器がコンピュータ３０に接続されていると判定されると、前述の処理が実行される。すなわち、変換部３５によって作画データの変換が行われ、変換後の作画データが上記機器に出力される。一方、選択された機器がコンピュータ３０に接続されていないと判定されると、変換中止部７２は、当該機器に関する変換部３５の変換を中止させる。その結果、作画データの変換および当該機器へのデータ出力は行われない。したがって、無駄な処理を省くことができる。
【００４０】
本実施形態では、コンピュータ３０に複数の機器を接続することができる。そのため、複数の機器が選択されている場合、処理の効率化等のため、どの機器の作画データの変換を先に行うかを予め定めておくことが好ましい。そこで、本実施形態では、予め優先順位記憶部７４に優先順位付けのためのルールが記憶され、複数の機器が選択されると、そのルールに基づいて優先順位が決められる。
【００４１】
すなわち、例えば、画面６０（図９参照）の「カット」および「プリント」の両チェックボックス６２に印を付けると、カッティング装置１２およびプリンタ１１の両機器が選択される。すると、優先順位決定部７５は、優先順位記憶部７４に記憶されているルールに従って、プリンタ１１用のデータ変換を先に行い、その後にカッティング装置１２用のデータ変換を行うことを決定する。変換実行部７６は、優先順位決定部７５が決定した上記順序に従って、変換部３５に作画データの変換を行わせる。
【００４２】
また、例えば、画面６０の「プリント」および「加工」の両チェックボックス６２に印を付けると、プリンタ１１および彫刻機１３が選択される。すると、優先順位決定部７５は、優先順位記憶部７４に記憶されているルールに従って、プリンタ１１用のデータ変換を先に行い、その後に彫刻機１３用のデータ変換を行うことを決定する。変換実行部７６は、優先順位決定部７５が決定した上記順序に従って、変換部３５に作画データの変換を行わせる。
【００４３】
また、例えば、画面６０の「カット」、「プリント」および「加工」のチェックボックス６２に印を付けると、カッティング装置１２、プリンタ１１および彫刻機１３が選択される。すると、優先順位決定部７５は、優先順位記憶部７４に記憶されているルールに従って、プリンタ１１用のデータ変換を先に行い、次にカッティング装置１２用のデータ変換を行い、最後に彫刻機１３用のデータ変換を行うことを決定する。変換実行部７６は、優先順位決定部７５が決定した上記順序に従って、変換部３５に作画データの変換を行わせる。
【００４４】
ただし、機器の優先順位は上記優先順位に限定されず、適宜に変更することが可能である。
【００４５】
以上のように、装飾物１は、複数の機器、すなわちプリンタ１１、カッティング装置１２、および彫刻機１３を統合的に用いることによって製作されるものである。しかし、本実施形態によれば、これらプリンタ１１、カッティング装置１２、および彫刻機１３の間で作画データを統一しなくても、そのような装飾物１を容易に製作することができる。
【００４６】
また、本実施形態によれば、作画データに関する制約が少ないので、より多くの種類の機器を利用することができる。すなわち、複数の機器間において作画データを統一しなくても済むので、独自の作画データを使用する機器を自由に組み合わせて利用することができる。
【００４７】
また、本実施形態によれば、ユーザが作画データのプレビューを見ながら、各箇所にどの機器の処理を行うかを容易に選択することができる。また、選択された各箇所に対して機器毎の作画データの変換を行うことができ、適切なデータ変換を行うことができる。
【００４８】
また、本実施形態によれば、コンピュータ３０と通信可能に接続されていない機器については、作画データの変換は行われない。そのため、無駄なデータ変換を避けることができる。
【００４９】
なお、前記実施形態では、複数の機器として、プリンタ１１、カッティング装置１２、および彫刻機１３を用いていた。しかし、本発明の対象とする機器の組み合わせは、前記実施形態のものに限定されず、適宜変更することができる。利用する機器として、打刻装置を用いることもできる。
【００５０】
なお、本明細書において、「プリンタ」とは、メディアに対して画像等を印刷する装置をいう。「カッティング装置」とは、メディアを切断する装置をいう。「打刻装置」とは、対象物に孔や模様等を刻みつける装置をいう。金属の表面に模様等を刻みつけるいわゆるメタルプリンタは、打刻装置の一例である。「彫刻機」とは、対象物を彫り刻む装置をいう。本発明では、プリンタ、カッティング装置、打刻装置、および彫刻機のうちの２以上の機器を適宜に組み合わせることができる。
【００５１】
また、本発明においてプリンタとは、印刷のみを行うプリンタに限らず、印刷に加えて他の機能を有するプリンタであってもよい。例えば、本発明におけるプリンタは、カッティング機能を有するプリンタ、すなわち、いわゆるカッティングプリンタ等であってもよい。
【符号の説明】
【００５２】
１    装飾物
２    シート
３    画像
４    ラインストーン
１１  プリンタ
１２  カッティング装置
１３  彫刻機
３０  コンピュータ
【図１】
0005627915.tif 000002
【図２】
0005627915.tif 000003
【図３】
0005627915.tif 000004
【図４】
0005627915.tif 000005
【図５】
0005627915.tif 000006
【図６】
0005627915.tif 000007
【図７】
0005627915.tif 000008
【図８】
0005627915.tif 000009
【図９】
0005627915.tif 000010